(57)【要約】【課題】操作装置の設計の自由度の向上を図れ、また、電気接片に対する塵埃や汚れの付着を防止する上で有利な電子機器を提供する。【解決手段】レリーズ用操作装置１８は、レリーズボタン４０と、第１、第２、第３電気接片４２、４４、４６と、操作装置用筐体４８とを有している。操作装置用筐体４８は、撮像装置１０の筐体１２とは別に設けられ、撮像装置１０に組み付けられる。レリーズボタン４０は操作装置用筐体４８に組み込まれ、各電気接片４２、４４、４６は操作装置用筐体４８の内部に収容されている。各電気接片４２、４４、４６は、レリーズボタン４０の押圧操作により弾性変形して電気的な接離を行なう。取り付け部５８が撮像装置１０の筐体１２の内部のフレームなどに取着され、この状態でレリーズボタン４０が筐体１２の窓１２０２から筐体１２の表面に突出される。【選択図】図８
2009063733.tif 000002
【特許請求の範囲】
【請求項１】
操作部材の押圧操作により電気的な接離を行なう電気接片を有する操作装置を備えた電子機器であって、
前記操作装置は、前記電子機器の筐体とは別に設けられ前記電子機器に組み付けられる操作装置用筐体を有し、
前記操作部材は前記操作装置用筐体に組み込まれ、
前記電気接片は前記操作装置用筐体の内部に収容され、
前記操作装置用筐体が前記電子機器に組み付けられた状態で前記操作部材は、前記電子機器の筐体の表面に露出する、
ことを特徴とする電子機器。
【請求項２】
前記操作装置用筐体が前記電子機器に組み付けられた状態で、前記操作装置用筐体は前記電子機器の筐体の内部に位置し、前記操作部材は、前記電子機器の筐体の窓から前記電子機器の筐体の表面に露出する、
ことを特徴とする請求項１記載の電子機器。
【請求項３】
前記操作装置用筐体は、複数の分割体が合わされて構成されている、
ことを特徴とする請求項１記載の電子機器。
【請求項４】
前記操作装置用筐体に、該操作装置用筐体を前記電子機器に取り付けるための取り付け部が設けられている、
ことを特徴とする請求項１記載の電子機器。
【請求項５】
前記電気接片に電気的に接続されたフレキシブル基板が設けられ、
前記フレキシブル基板は、前記操作装置用筐体の内部から外部に延在している、
ことを特徴とする請求項１記載の電子機器。
【請求項６】
前記電子機器は撮像装置であり、
前記操作部材はレリーズボタンであり、
前記操作装置はレリーズ用操作装置であり、
前記電気接片は、前記操作部材により押圧される方向に弾性変形可能で、前記押圧される方向に間隔をおいて３つ配置されている、
ことを特徴とする請求項１記載の電子機器。
【請求項７】
前記電気接片は、前記操作部材により押圧される方向に弾性変形可能であり、
前記電気接片は、
前記操作装置用筐体に取り付けられた基部と、
前記基部の両側から、互いに間隔をおき該基部から離れる方向に突出する２つの第１アームと、
前記各第１アームの先部に設けられた折り返し部と、
前記折り返し部から前記基部に近づく方向に突出する第２アームと、
前記第２アームの先部に設けられ前記操作部材の押圧操作により押圧される被押圧部とを有する、
ことを特徴とする請求項１記載の電子機器。
【請求項８】
前記第２アームは前記２つの第１アームに対応して２つ設けられ、
前記被押圧部は、前記２つの前記第２アームの先部を接続している、
ことを特徴とする請求項７記載の電子機器。
【請求項９】
前記折り返し部は、前記２つの第１アームの先部を接続しており、
前記第２アームは単一である、
ことを特徴とする請求項７記載の電子機器。
【請求項１０】
前記第１アームは、前記第２アームを中心として対称に設けられている、
ことを特徴とする請求項７記載の電子機器。
【請求項１１】
前記電気接片は前記操作部材が押圧操作される方向に間隔をおいて配置された第１、第２、第３電気接片からなり、それぞれ前記操作部材により押圧される方向に弾性変形可能であり、
前記各電気接片は、
前記操作装置用筐体に取り付けられた基部と、
前記基部の両側から、互いに間隔をおき該基部から離れる方向に突出する２つの第１アームと、
前記各第１アームの先部に設けられた折り返し部と、
前記折り返し部から前記基部に近づく方向に突出する第２アームと、
前記第２アームの先部に設けられ前記操作部材の押圧操作により押圧される被押圧部とを有し、
前記第１電気接片の前記被押圧部は、前記操作部材の中央から前記押圧操作される方向に突出し前記装置用筐体の外部から内部に至る軸部の先端に当接し、これにより前記第１電気接片の初期位置が定められ、
前記第２、第３電気接片の前記第２アームは、前記装置用筐体の内部でそれぞれ前記押圧操作される方向に突出する壁部に当接し、これによりそれら第２、第３電気接片の初期位置が定められている、
ことを特徴とする請求項１記載の電子機器。
【請求項１２】
前記各電気接片の基部の間には非導電材料からなるスペーサが介在している、
ことを特徴とする請求項１１記載の電子機器。
【発明の詳細な説明】
【技術分野】
【０００１】
本発明は電子機器に関する。
【背景技術】
【０００２】
電子機器として例えば撮像装置に設けられシャッターを切る際に操作されるレリーズ用操作装置（レリーズスイッチ）がある。
このようなレリーズ用操作装置は、多くの場合、帯板状の板ばねで形成された複数の電気接片と、それら電気接片を押圧操作するための操作部材（レリーズボタン）とを含んで構成されている（特許文献１、２、３参照）。
複数の電気接片の長手方向の一端は撮像装置の筐体の内部に取着され、それら電気接片は、操作部材の押圧方向に間隔をおいて配置されている。
操作部材は筐体に設けられた開口に組み込まれ、各電気接片のうち操作部材に最も近い箇所に位置する電気接片の長手方向の他端を押圧することで、それら電気接片を弾性変形させ、各電気接片同士を接触させて導通させ、これにより所定の操作信号を各電気接片から得るようにしている。
【特許文献１】特開平１１−３３８００４
【特許文献２】特開２００１−２８１７４８
【特許文献３】特開２００１−３０５６４３
【発明の開示】
【発明が解決しようとする課題】
【０００３】
上述した従来のレリーズ用操作装置では、複数の電気接片の長手方向の一端を撮像装置の筐体に取り付けるとともに長手方向の他端を操作部材により押圧する構造であるため、各電気接片の長さが大きくなり場所をとるため、レリーズ用操作装置の設計の自由度を確保する上で不利があった。
また、操作部材を開口に組み込むまでは、電気接片が筐体の外部に露出していることから、塵埃や汚れが電気接片へ付着しやすい不利があった。
本発明はこのような事情に鑑みなされたもので、その目的は、操作装置の設計の自由度の向上を図れ、また、電気接片に対する塵埃や汚れの付着を防止する上で有利な電子機器を提供することにある。
【課題を解決するための手段】
【０００４】
上述の目的を達成するため、本発明は、操作部材の押圧操作により電気的な接離を行なう電気接片を有する操作装置を備えた電子機器であって、前記操作装置は、前記電子機器の筐体とは別に設けられ前記電子機器に組み付けられる操作装置用筐体を有し、前記操作部材は前記操作装置用筐体に組み込まれ、前記電気接片は前記操作装置用筐体の内部に収容され、前記操作装置用筐体が前記電子機器に組み付けられた状態で前記操作部材は、前記電子機器の筐体の表面に露出することを特徴とする。
【発明の効果】
【０００５】
本発明によれば、操作部材および電気接片が組み込まれた操作装置用筐体を、電子機器の筐体とは別に設けておき、この操作装置用筐体を電子機器に組み付けるようにしたので、従来のように電気接片に塵埃や汚れが付着して生じる接点不良を防止する上で有利となる。
また、操作装置用筐体を電子機器に組み付けることで操作装置が配置されるので、操作装置を電子機器に簡単に組み付けることが可能となり、操作装置のレイアウトの自由度の向上を図る上で有利となる。
【発明を実施するための最良の形態】
【０００６】
（第１の実施の形態）
次に、本発明の実施の形態について説明する。
本実施の形態では、操作装置を備える電子機器が撮像装置である場合について説明する。
図１は撮像装置１０の正面図、図２は撮像装置１０の背面図である。
撮像装置１０は、図１、図２に示すように、本実施の形態では一眼レフタイプのデジタルスチルカメラである。
撮像装置１０は、外装を構成する筐体１２を有している。なお、本明細書において左右は、撮像装置１０を前方から見た状態でいうものとし、また、光学系の光軸方向で被写体側を前方といい、撮像素子側を後方という。
筐体１２は前後の厚さと、上下の高さと、左右の幅とを有している。
筐体１２の前面には撮影光学系１４を収容保持する鏡筒１６が設けられている。
筐体１２の上端面には、本発明に係るレリーズ用操作装置１８が設けられ、筐体１２の後面には撮像した映像を表示するディスプレイ２０、撮影、記録、映像表示などの種々の動作にまつわる操作を行うための複数の操作スイッチ２２、ディスプレイ２０上に表示されるメニューを選択するなどの操作を行うための十字キースイッチ２４などが設けられている。
【０００７】
図３は撮像装置１０の制御系の構成を示すブロック図である。
図３に示すように、鏡筒１６の後部には、撮影光学系１４によって結像された被写体像を撮像するＣＣＤやＣＭＯＳセンサなどで構成された撮像素子２８が配設されている。
撮像装置１０は、撮像素子２８から出力された撮像信号に基づいて画像データを生成し、メモリカードなどの記録媒体２に記録する画像処理部３０、前記画像データをディスプレイ２０に表示させる表示処理部３２、制御部３４などを備えている。
制御部３４は、レリーズ用操作装置１８、操作スイッチ２２、十字キースイッチ２４の操作に応じて画像処理部３０、表示処理部３２などを制御するものであり、制御プログラムによって動作を行うＣＰＵを有している。
本実施の形態では、このレリーズ用操作装置１８に本発明の操作装置が適用され、本発明の操作部材がレリーズボタン４０に相当している。
撮像装置１０は、レリーズ用操作装置１８のレリーズボタン４０（図８）を半押しすることで例えば測距動作や測光動作を行い、レリーズボタン４０を全押しすることで撮像装置１０による撮像動作を行うように構成されている。
【０００８】
次にレリーズ用操作装置１８について詳細に説明する。
図４はレリーズ用操作装置１８の分解斜視図、図５はレリーズボタン４０、第１乃至第３電気接片４２、４４、４６の斜視図、図６はレリーズ用操作装置１８の斜視図、図７はレリーズ用操作装置１８の上下を反転した斜視図、図８はレリーズ用操作装置１８の断面図である。
図４に示すように、レリーズ用操作装置１８は、レリーズボタン４０と、第１、第２、第３電気接片４２、４４、４６と、操作装置用筐体４８とを有している。
操作装置用筐体４８は、撮像装置１０の筐体１２とは別に設けられ、撮像装置１０に組み付けられるものである。
レリーズボタン４０は操作装置用筐体４８に組み込まれ、第１乃至第３電気接片４２、４４、４６はレリーズボタン４０が押圧される方向に間隔をおいて操作装置用筐体４８の内部に収容されている。そして、第１乃至第３電気接片４２、４４、４６は、レリーズボタン４０の押圧操作により弾性変形して電気的な接離を行なう。
すなわち、レリーズボタン４０を半押しすることで第１、第２電気接片４２、４４が電気的に接続され例えば測距動作や測光動作を行い、レリーズボタン４０を全押しすることで第１乃至第３電気接片４２、４４、４６が電気的に接続され撮像装置１０による撮像動作を行うように構成されている。
【０００９】
図４に示すように、操作装置用筐体４８は、複数の分割体が合わされて構成されている。
本実施の形態では、操作装置用筐体４８は、第１乃至第３電気接片４２、４４、４６が収容される収容スペース４９（図８）を有し、レリーズボタン４０が組み込まれるベース５０と、ベース５０に取着され収容スペース４９を閉塞するカバー５２とで構成されている。
ベース５０には、図６、図７に示すように、該操作装置用筐体４８を撮像装置１０の筐体１２に取り付けるための複数の取り付け部（取り付け片）５８が設けられている。
そして、取り付け部５８が撮像装置１０の筐体１２の内部のフレームなどに取着されることで操作装置用筐体４８が撮像装置１０の筐体１２の内部に配置され、この状態で図８に示すようにレリーズボタン４０が筐体１２の窓１２０２から筐体１２の表面に突出される。
【００１０】
収容スペース４９と反対に位置するベース５０の外面には、図４、図８に示すように、レリーズボタン４０を収容する収容凹部５１が設けられている。
収容凹部５１の中央には、貫通孔５００２を有するボス部５００４が膨出形成されている。
レリーズボタン４０の軸部４００２はこの貫通孔５００２を挿通してベース５０に組み込まれ、収容スペース４９に突出した軸部４００２の先端にはストップリング５４が取着されている。
収容凹部５１の底面とレリーズボタン４０の裏面との間でボス部５００４を囲むようにコイルスプリング５６が設けられ、レリーズボタン４０はこのコイルスプリング５６により収容凹部５１の底面から離れる方向に付勢され、ストップリング５４が収容スペース４９の内壁に当接することで、レリーズボタン４０の突出位置が定められている。
また、収容スペース４９に臨むベース５０の内面には、図８に示すように、レリーズボタン４０が押圧操作される方向に突出し第２電気接片４４に当接して第２電気接片４４の初期位置を定めるストッパ壁５０Ｂが設けられている。
また、レリーズボタン４０が押圧操作される方向に突出し第３電気接片４６に当接して第３電気接片４６の初期位置を定めるストッパ壁５０Ｃ、５０Ｄが設けられている。
また、ベース５０の内面には、それら電気接片４２、４４、４６を取り付けるためのボス部５３が設けられ、ボス部５３にはねじの下孔５３Ａが形成されている。
【００１１】
第１乃至第３電気接片４２、４４、４６は、薄い厚さの弾性を有する金属製の板から形成されている。
図４、図５に示すように、第１電気接片４２は、操作装置用筐体４８に取り付けられた基部４２Ａと、基部４２Ａの両側から、互いに間隔をおき該基部４２Ａから離れる方向に突出する２つの第１アーム４２Ｂと、２つの第１アーム４２Ｂの先部を接続する折り返し部４２Ｃと、折り返し部４２Ｃから基部に近づく方向に突出する単一の第２アーム４２Ｄと、第２アーム４２Ｄの先部に設けられレリーズボタン４０の押圧操作によりレリーズボタン４０の軸部４００２で押圧される被押圧部４２Ｅとを有している。
基部４２Ａと２つの第１アーム４２Ｂと折り返し部４２Ｃとによりあたかも矩形状の枠が形成され、第１アーム４２Ｂは第２アーム４２Ｄを中心として対称に設けられている。
そして、軸部４００２の先端に被押圧部４２Ｅが当接することで第１電気接片４２の初期位置が定められている。
基部４２Ａには取り付け孔４２Ｇと、該取り付け孔４２Ｇの両側に設けられた位置決め孔４２Ｈとが設けられている。
また、基部４２Ａの一側からレリーズボタン４０と反対の方向に突出する接続片４２Ｆが設けられている。
【００１２】
第２電気接片４４は、操作装置用筐体４８に取り付けられた基部４４Ａと、基部４４Ａの両側から、互いに間隔をおき該基部４４Ａから離れる方向に突出する２つの第１アーム４４Ｂと、２つの第１アーム４４Ｂの先部を接続する折り返し部４４Ｃと、折り返し部４４Ｃから基部４４Ａに近づく方向に突出する単一の第２アーム４４Ｄと、第２アーム４４Ｄの先部に設けられレリーズボタン４０の押圧操作により押圧される被押圧部４４Ｅとを有している。
基部４４Ａと２つの第１アーム４４Ｂと折り返し部４４Ｃとによりあたかも矩形状の枠が形成され、第１アーム４４Ｂは第２アーム４４Ｄを中心として対称に設けられている。
図８に示すように、上述のストッパ壁５０Ｂは第２アーム４４Ｄの前端に当接している。
図５に示すように、被押圧部４４Ｅには突起４４Ｉが設けられ、第１電気接片４２が弾性変形した際にこの突起４４Ｉが第１電気接片４２の第２アーム４２Ｄの被押圧部４２Ｅに接触する。
基部４４Ａには取り付け孔４４Ｇと、該取り付け孔４４Ｇの両側に設けられた位置決め孔４４Ｈとが設けられている。
また、基部４４Ａの一側からレリーズボタン４０と反対の方向に突出する接続片４４Ｆが設けられている。
【００１３】
第３電気接片４６は、操作装置用筐体４８に取り付けられた基部４６Ａと、基部４６Ａの両側から、互いに間隔をおき該基部４６Ａから離れる方向に突出する２つの第１アーム４６Ｂと、各第１アーム４６Ｂの先部に設けられた折り返し部４６Ｃと、各折り返し部４６Ｃから基部４６Ａに近づく方向に突出する２つの第２アーム４６Ｄと、２つの第２アーム４６Ｄの先部を接続しレリーズボタン４０の押圧操作により押圧される被押圧部４６Ｅとを有している。
基部４６Ａと２つの第１アーム４６Ｂと折り返し部４６Ｃとによりあたかも矩形状の枠が形成され、第１アーム４６Ｂは第２アーム４６Ｄを中心として対称に設けられている。
図８に示すように、上述のストッパ壁５０Ｃ、５０Ｄのうち、一方のストッパ壁５０Ｃは第１アーム４６Ｂの先端に当接し、他方のストッパ壁５０Ｄは第２アーム４６Ｄの前端に当接している。
図５に示すように、被押圧部４６Ｅには２つの突起４６Ｉが設けられ、第１、第２電気接片４２、４４が弾性変形した際にそれら突起４６Ｉが第２電気接片４４の第２アーム４４Ｄの被押圧部４４Ｅに接触する。
基部４６Ａには取り付け孔４６Ｇと、該取り付け孔４６Ｇの両側に設けられた位置決め孔４６Ｈとが設けられている。
また、基部４６Ａの一側からレリーズボタン４０と反対の方向に突出する接続片４６Ｆが設けられている。
【００１４】
なお、図４において、符号６０はフレキシブル基板を示し、フレキシブル基板６０には、取り付け孔６０Ａと、該取り付け孔６０Ａの両側に設けられた位置決め孔６０Ｂとが設けられ、また、電気接片接続用の３つの孔６０Ｃ、６０Ｄ、６０Ｅが設けられ、フレキシブル基板６０は後述するように第１乃至第３電気接片４２、４４、４６に電気的に接続され、フレキシブル基板６０は操作装置用筐体の内部から外部に延在している。
また、図４において、符号６６は非導電材料からなるスペーサを示し、スペーサ６６は２つ設けられ、各スペーサ６６は第１乃至第３電気接片４２、４４、４６の基部４２Ａ、４４Ａ、４６Ａに対応した大きさを有し、スペーサ６６には取り付け孔６６Ａと２つの位置決め孔６６Ｂが設けられている。
【００１５】
それら電気接片４２、４４、４６の装置用筐体４８への組み込みは次のようになされている。
図４、図８に示すように、第１電気接片４２の基部４２Ａがベース５０の内面に当て付けられ、取り付け孔４２Ｇにはボス部５３が挿通され、２つの位置決め孔４２Ｈにそれぞれベース５０の位置決め部材（不図示）が挿通される。
次に、第１電気接片４２の基部４２Ａの上にスペーサ６６が当て付けられ、スペーサ６６の取り付け孔６６Ａにボス部５３が挿通され、２つの位置決め孔６６Ｂにそれぞれベース５０の位置決め部材（不図示）が圧入される。
次に、スペーサ６６の上に第２電気接片４４の基部４４Ａが当て付けられ取り付け孔４４Ｇにはボス部５３が挿通され、２つの位置決め孔４４Ｈにそれぞれベース５０の位置決め部材（不図示）が挿通される。
次に、第２電気接片４４の基部４４Ａの上にスペーサ６６が当て付けられ、スペーサ６６の取り付け孔６６Ａにボス部５３が挿通され、２つの位置決め孔６６Ｂにそれぞれベース５０の位置決め部材（不図示）が圧入される。
次に、スペーサ６６の上に第３電気接片４６の基部４６Ａが当て付けられ取り付け孔４６Ｇにはボス部５３が挿通され、２つの位置決め孔４６Ｈにそれぞれベース５０の位置決め部材（不図示）が挿通される。
次に、第３電気接片４６の基部４６Ａの上にフレキシブル基板６０が当て付けられ、フレキシブル基板６０の上からカバー５２が当て付けられ、ボルト（タッピングねじ）６２をカバー５２およびフレキシブル基板６０の取り付け孔５２Ａ、６０Ａに挿通して下孔５３Ａに螺合する。
【００１６】
この状態で第１電気接片４２の被押圧部４２Ｅに軸部４００２の先端が当接し、これにより第１電気接片４２の初期位置が定められている。
また、第２電気接片４４の第２アーム４４Ｄの先端がストッパ壁５０Ｂに当接し、これにより第２電気接片４４の初期位置が定められている。
また、第３電気接片４６の第１アーム４６Ｂの先端が収容スペース４９内のストッパ壁５０Ｃと、カバー５２の内面に設けられたクッション材６４との間で挟まれるとともに、第３電気接片４６の第２アーム４６Ｄの先端がストッパ壁５０Ｄに当接し、これにより第３電気接片４６の初期位置が定められている。
【００１７】
なお、接続片４２Ｆ、４４Ｆ、４６Ｆのフレキシブル基板６０の電気接片接続用の３つの孔６０Ｃ、６０Ｄ、６０Ｅへの接合は、半田付けによりなされ、この半田付けは、第１乃至第３電気接片４２、４４、４６およびフレキシブル基板６０を予め別の箇所で組み付けてその際に行ってもよく、あるいは、第１乃至第３電気接片４２、４４、４６およびフレキシブル基板６０をベース５０に組み付ける際に行ってもよい。
【００１８】
本実施の形態では、レリーズボタン４０を半押しすることで第１電気接片４２が軸部４００２により弾性変形され、これにより第１、第２電気接片４２、４４の被押圧部４２Ｅ、４４Ｅが接触し、例えば測距動作や測光動作が行われる。
また、レリーズボタン４０を全押しすることで第１乃至第３電気接片４２、４４、４６の被押圧部４２Ｅ、４４Ｅ、４６Ｅが接触し、撮像装置１０による撮像動作が行われる。
【００１９】
本実施の形態によれば、レリーズボタン４０および第１乃至第３電気接片４２、４４、４６が組み込まれた操作装置用筐体４８を、撮像装置１０の筐体１２とは別に設けておき、この操作装置用筐体４８を撮像装置１０に組み付けるようにしたので、従来のように第１乃至第３電気接片４２、４４、４６に塵埃や汚れが付着して生じる接点不良を防止する上で有利となる。
また、操作装置用筐体４８の取り付け部５８を撮像装置１０に組み付けることでレリーズ用操作装置１８が配置されるので、取り付け部５８の位置や向きを変更することで撮像装置１０に簡単に組み付けることが可能となり、従来のように第１乃至第３電気接片４２、４４、４６を撮像装置１０の内部に直接取り付ける場合に比べレリーズ用操作装置１８のレイアウトの自由度を高める上で有利となる。
また、第１乃至第３電気接片４２、４４、４６は互いに逆向きに延在する第１アーム４２Ｂ、４４Ｂ、４６Ｂおよび第２アーム４２Ｄ、４４Ｄ、４６Ｄを有し、被押圧部４２Ｅ、４４Ｅ、４６Ｅが第２アーム４２Ｄ、４４Ｄ、４６Ｄの先部に設けられているので、図５に示すように、従来のように第１乃至第３電気接片４２、４４、４６を直線状に延在させその先部に被押圧部を設ける場合に比べ、第１乃至第３電気接片４２、４４、４６の基部４２Ａ、４４Ａ、４６Ａからレリーズボタン４０の軸部４００２までの距離を短縮でき、したがって、レリーズ用操作装置１８の設計の自由度を高める上で有利となる。
また、第１乃至第３電気接片４２、４４、４６はそれぞれ基部４２Ａ、４４Ａ、４６Ａから突出する２つの第１アーム４２Ｂ、４４Ｂ、４６Ｂを有しており、被押圧部４２Ｅ、４４Ｅ、４６Ｅを有する第２アーム４２Ｄ、４４Ｄ、４６Ｄがそれら２つの第１アーム４２Ｂ、４４Ｂ、４６Ｂで支持されているので、従来の片持ちの電気接片に比べて両持ち式となっており、弾性変形の際に１つの支点に荷重が集中することなく、良好なばね特性を得る上で有利となっている。
また、第１アーム４２Ｂ、４４Ｂ、４６Ｂは、被押圧部４２Ｅ、４４Ｅ、４６Ｅを有する第２アーム４２Ｄ、４４Ｄ、４６Ｄを中心として対称に設けられているので、第２アーム４２Ｄ、４４Ｄ、４６Ｄは安定した状態で弾性変形でき、良好なばね特性を得る上で有利となっている。
【００２０】
なお、本実施の形態では、電子機器がデジタルスチルカメラである場合について説明したが、本発明はビデオカメラ、その他種々の撮像装置、カメラ付き携帯電話機、あるいは、撮像装置以外のさまざまな電子機器に適用可能であり、さらに本発明の電子機器は、一眼レフタイプの撮像装置に装着される縦位置グリップ装置などのアクセサリーを含むものである。
【図面の簡単な説明】
【００２１】
【図１】撮像装置１０の正面図である。
【図２】撮像装置１０の背面図である。
【図３】撮像装置１０の構成を示すブロック図である。
【図４】レリーズ用操作装置１８の分解斜視図である。
【図５】レリーズボタン４０、第１乃至第３電気接片４２、４４、４６の斜視図である。
【図６】レリーズ用操作装置１８の斜視図である。
【図７】レリーズ用操作装置１８の上下を反転した斜視図である。
【図８】レリーズ用操作装置１８の断面図である。
【符号の説明】
【００２２】
１０……撮像装置、１２……筐体、１８……レリーズ用操作装置、４０……レリーズボタン、４２……第１電気接片、４４……第２電気接片、４６……第３電気接片、４８……操作装置用筐体。
【図１】
2009063733.tif 000003
【図２】
2009063733.tif 000004
【図３】
2009063733.tif 000005
【図４】
2009063733.tif 000006
【図５】
2009063733.tif 000007
【図６】
2009063733.tif 000008
【図７】
2009063733.tif 000009
【図８】
2009063733.tif 000010